(57)【要約】【課題】情報量制約のない低コストタイプのユーザ装置の能力情報を基地局に通知するための技術を提供することである。【解決手段】本発明の一態様は、基地局と無線通信するユーザ装置であって、前記基地局との間で無線信号を送受信する送受信部と、当該ユーザ装置のユーザ装置能力情報を管理する能力管理部と、前記基地局に接続するための接続確立手順の接続設定メッセージの受信に応答して、接続設定完了メッセージの返送前に、前記ユーザ装置能力情報に従って当該ユーザ装置に情報量制約があるか否かを示すカテゴリ通知信号を前記基地局に通知するＲＲＣ（Ｒａｄｉｏ  Ｒｅｓｏｕｒｃｅ  Ｃｏｎｔｒｏｌ）処理部とを有するユーザ装置に関する。【選択図】図５
2016012876.tif 000002
【特許請求の範囲】
【請求項１】
基地局と無線通信するユーザ装置であって、
前記基地局との間で無線信号を送受信する送受信部と、
当該ユーザ装置のユーザ装置能力情報を管理する能力管理部と、
前記基地局に接続するための接続確立手順の接続設定メッセージの受信に応答して、接続設定完了メッセージの返送前に、前記ユーザ装置能力情報に従って当該ユーザ装置に情報量制約があるか否かを示すカテゴリ通知信号を前記基地局に通知するＲＲＣ（Ｒａｄｉｏ  Ｒｅｓｏｕｒｃｅ  Ｃｏｎｔｒｏｌ）処理部と、
を有するユーザ装置。
【請求項２】
前記接続確立手順は、ＬＴＥ（Ｌｏｎｇ  Ｔｅｒｍ  Ｅｖｏｌｕｔｉｏｎ）規格又はＬＴＥ−Ａｄｖａｎｃｅｄ規格におけるランダムアクセス手順であり、
前記接続設定メッセージは、ＲＲＣ  ｃｏｎｎｅｃｔｉｏｎ  ｓｅｔｕｐメッセージであり、
前記接続設定完了メッセージは、ＲＲＣ  ｃｏｎｎｅｃｔｉｏｎ  ｓｅｔｕｐ  ｃｏｍｐｌｅｔｅメッセージである、請求項１記載のユーザ装置。
【請求項３】
前記情報量制約は、送受信ビット数の制約である、請求項２記載のユーザ装置。
【請求項４】
前記ＲＲＣ処理部は、当該ユーザ装置に情報量制約がある場合には前記カテゴリ通知信号に当該ユーザ装置がＣａｔｅｇｏｒｙ０  ＵＥであることを示す情報要素を含め、当該ユーザ装置に情報量制約がない場合には前記カテゴリ通知信号にＣａｔｅｇｏｒｙ０  ＵＥ以外の情報要素を含める、請求項１乃至３何れか一項記載のユーザ装置。
【請求項５】
前記カテゴリ通知信号の送信後、前記ＲＲＣ処理部は、当該ユーザ装置に情報量制約があるか否かに応じて前記基地局によりスケジューリングされた無線リソースを使用して、前記接続設定完了メッセージの送信以降の前記接続確立手順の送受信処理を実行する、請求項１乃至４何れか一項記載のユーザ装置。
【請求項６】
基地局と無線通信するユーザ装置であって、
前記基地局との間で無線信号を送受信する送受信部と、
当該ユーザ装置のユーザ装置能力情報を管理する能力管理部と、
前記基地局に接続するための接続確立手順の接続設定メッセージの受信に応答して、前記ユーザ装置能力情報に従って当該ユーザ装置に情報量制約があることを示すため、特定タイプのメッセージを有さない接続設定完了メッセージを前記基地局に通知するＲＲＣ（Ｒａｄｉｏ  Ｒｅｓｏｕｒｃｅ  Ｃｏｎｔｒｏｌ）処理部と、
を有するユーザ装置。
【請求項７】
前記接続確立手順は、ＬＴＥ（Ｌｏｎｇ  Ｔｅｒｍ  Ｅｖｏｌｕｔｉｏｎ）規格又はＬＴＥ−Ａｄｖａｎｃｅｄ規格におけるランダムアクセス手順であり、
前記接続設定メッセージは、ＲＲＣ  ｃｏｎｎｅｃｔｉｏｎ  ｓｅｔｕｐメッセージであり、
前記接続設定完了メッセージは、ＲＲＣ  ｃｏｎｎｅｃｔｉｏｎ  ｓｅｔｕｐ  ｃｏｍｐｌｅｔｅメッセージであり、
前記特定タイプのメッセージは、ＮＡＳ（Ｎｏｎ  Ａｃｃｅｓｓ  Ｓｔｒａｔｕｍ）メッセージである、請求項６記載のユーザ装置。
【請求項８】
前記情報量制約は、送受信ビット数の制約である、請求項７記載のユーザ装置。
【請求項９】
前記ＲＲＣ処理部は更に、前記接続設定完了メッセージに当該ユーザ装置に情報量制約があることを示す情報要素を含める、請求項６乃至８何れか一項記載のユーザ装置。
【請求項１０】
前記特定タイプのメッセージを有さない接続設定完了メッセージの送信後、前記ＲＲＣ処理部は、前記特定タイプのメッセージを送信する、請求項６乃至９何れか一項記載のユーザ装置。
【発明の詳細な説明】
【技術分野】
【０００１】
本発明は、無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、Ｌｏｗ  Ｃｏｓｔ  ＭＴＣ（Ｍａｃｈｉｎｅ  Ｔｙｐｅ  Ｃｏｍｍｕｎｉｃａｔｉｏｎ）の検討が進められている。ＭＴＣ端末は、例えば、電力使用量を自動検針するためのスマートメータ、在庫管理のための位置情報取得装置などとしての利用が考えられている。このような利用形態のため、ＭＴＣ端末は、遅延やスループットの要求条件が携帯電話やスマートフォンなどの既存のユーザ装置（Ｕｓｅｒ  Ｅｑｕｉｐｍｅｎｔ：ＵＥ）と比較して厳しくなく、ＭＴＣ端末に対する要求条件を既存のＵＥより緩和することによって、コスト低減を図ることが期待されている。なお、ＬＴＥ（Ｌｏｎｇ  Ｔｅｒｍ  Ｅｖｏｌｕｔｉｏｎ）規格では、Ｌｏｗ  Ｃｏｓｔ  ＭＴＣは"Ｃａｔｅｇｏｒｙ０  ＵＥ"として定義されている。
【０００３】
Ｌｏｗ  Ｃｏｓｔ  ＭＴＣは、既存のＵＥに対して以下の観点で低コスト化を図ることを想定している。第１の観点としては、ＭＴＣ端末の機能を削減することによる実装・テストコストの低減である。具体的には、単一の受信機（１Ｒｘ）のみをサポートするなどである。第２の観点としては、ピークスループットを抑えることによって、ＭＴＣ端末のメモリ容量及び処理能力などのハードウェアコストの低減である。具体的には、送受信ビット数（e.g.,１０００ビット／ＴＴＩ（Ｔｒａｎｓｍｉｓｓｉｏｎ  Ｔｉｍｅ  Ｉｎｔｅｒｖａｌ））制約の導入などである。
【先行技術文献】
【非特許文献】
【０００４】
【非特許文献１】ＲＰ−１４０５２２
【発明の概要】
【発明が解決しようとする課題】
【０００５】
特に、１０００ビット制約に関連して以下のような問題点があげられる。基地局（ｅｖｏｌｖｅｄ  ＮｏｄｅＢ：ｅＮＢ）は、ユーザ装置の能力情報（ＵＥ  ｃａｐａｂｉｌｉｔｙ）が報告されるまで、Ｌｏｗ  Ｃｏｓｔ  ＭＴＣ端末以外のＵＥに対しても一律で１０００ビット制約を適用しなければならず、接続遅延が発生することになる。
【０００６】
すなわち、従来のＬＴＥ規格及びＬＴＥ−Ａｄｖａｎｃｅｄ規格によるＵＥ能力情報通知処理では、ユーザ装置が基地局に接続するために、ＲＡ（Ｒａｎｄｏｍ  Ａｃｃｅｓｓ）手順が実行される。典型的なＲＡ手順では、図１に示されるように、ユーザ装置は、接続先の基地局にＲＡ  ｐｒｅａｍｂｌｅを送信する。当該ＲＡ  ｐｒｅａｍｂｌｅを受信すると、基地局はＲＡ  ｒｅｓｐｏｎｓｅを返す。当該ＲＡ  ｒｅｓｐｏｎｓｅを受信すると、ユーザ装置は、メッセージ３としてＲＲＣ（Ｒａｄｉｏ  Ｒｅｓｏｕｒｃｅ  Ｃｏｎｔｒｏｌ）  ｃｏｎｎｅｃｔｉｏｎ  ｒｅｑｕｅｓｔを基地局に送信する。その後、基地局は、当該ユーザ装置の能力情報を取得するため、ＵＥ  ｃａｐａｂｉｌｉｔｙ  ｅｎｑｕｉｒｙをユーザ装置に送信する。これに応答して、ユーザ装置は、格納されている当該ユーザ装置の能力情報に基づきＵＥ  ｃａｐａｂｉｌｉｔｙ  ｉｎｆｏｒｍａｔｉｏｎを基地局に送信する。例えば、ユーザ装置がＬｏｗ  Ｃｏｓｔ  ＭＴＣ端末である場合、当該ユーザ装置がＣａｔｅｇｏｒｙ０  ＵＥであることを示すＵＥ  ｃａｐａｂｉｌｉｔｙ  ｉｎｆｏｒｍａｔｉｏｎが、基地局に通知される。このように、従来のＲＡ手順では、基地局は、ＵＥ  ｃａｐａｂｉｌｉｔｙ  ｉｎｆｏｒｍａｔｉｏｎを受信するまで、当該ユーザ装置がＬｏｗ  Ｃｏｓｔ  ＭＴＣ端末を表すＣａｔｅｇｏｒｙ０  ＵＥであるか、あるいは、携帯電話やスマートフォンなどのＣａｔｅｇｏｒｙ１以上のＵＥであるか判定することはできない。このため、基地局は、ＵＥ  ｃａｐａｂｉｌｉｔｙ  ｉｎｆｏｒｍａｔｉｏｎを受信するまでの期間では、接続してきた全てのユーザ装置に対してスケジューリングビット数を一律に１０００ビットに制限することになる。
【０００７】
このような１０００ビット制約による接続遅延に対処するため、接続確立手順のより早い段階でユーザ装置がＣａｔｅｇｏｒｙ０  ＵＥであるか否かを判定可能にする方策が検討されている。例えば、図２に示されるように、メッセージ５のＲＲＣ  ｃｏｎｎｅｃｔｉｏｎ  ｓｅｔｕｐ  ｃｏｍｐｌｅｔｅによって、当該ユーザ装置がＣａｔｅｇｏｒｙ０  ＵＥであることを基地局に通知することが検討されている。この場合、基地局は、従来のＲＡ手順におけるＵＥ  ｃａｐａｂｉｌｉｔｙ  ｉｎｆｏｒｍａｔｉｏｎの受信時より早い段階で１０００ビット制約の適用要否を判断することが可能となり、Ｃａｔｅｇｏｒｙ０以外のＵＥについては、１０００ビット制約を解除してユーザ装置とその後のメッセージの送受信を行うことが可能になる。
【０００８】
しかしながら、メッセージ５のＲＲＣ  ｃｏｎｎｅｃｔｉｏｎ  ｓｅｔｕｐ  ｃｏｍｐｌｅｔｅメッセージにＵＥのカテゴリを示す情報要素（ＩＥ）を追加しても、接続遅延を大きく低減することは困難である可能性がある。典型的なメッセージ５は、サイズの大きいＮＡＳ（Ｎｏｎ  Ａｃｃｅｓｓ  Ｓｔｒａｔｕｍ）メッセージを含み、図３に示されるように、１０００ビット制約下ではセグメント単位で送信されることになる。このため、全てのセグメントを送信完了するまで時間がかかり、接続遅延を大きく改善することはできない。
【０００９】
上記問題点を解決するため、本発明の課題は、情報量制約のない低コストタイプのユーザ装置の能力情報を基地局に通知するための技術を提供することである。
【課題を解決するための手段】
【００１０】
上記課題を解決するため、本発明の一態様は、基地局と無線通信するユーザ装置であって、前記基地局との間で無線信号を送受信する送受信部と、当該ユーザ装置のユーザ装置能力情報を管理する能力管理部と、前記基地局に接続するための接続確立手順の接続設定メッセージの受信に応答して、接続設定完了メッセージの返送前に、前記ユーザ装置能力情報に従って当該ユーザ装置に情報量制約があるか否かを示すカテゴリ通知信号を前記基地局に通知するＲＲＣ（Ｒａｄｉｏ  Ｒｅｓｏｕｒｃｅ  Ｃｏｎｔｒｏｌ）処理部とを有するユーザ装置に関する。
【００１１】
本発明の他の態様は、基地局と無線通信するユーザ装置であって、前記基地局との間で無線信号を送受信する送受信部と、当該ユーザ装置のユーザ装置能力情報を管理する能力管理部と、前記基地局に接続するための接続確立手順の接続設定メッセージの受信に応答して、前記ユーザ装置能力情報に従って当該ユーザ装置に情報量制約があることを示すため、特定タイプのメッセージを有さない接続設定完了メッセージを前記基地局に通知するＲＲＣ（Ｒａｄｉｏ  Ｒｅｓｏｕｒｃｅ  Ｃｏｎｔｒｏｌ）処理部とを有するユーザ装置に関する。
【発明の効果】
【００１２】
本発明によると、情報量制約のない低コストタイプのユーザ装置の能力情報を基地局に通知することが可能になる。
【図面の簡単な説明】
【００１３】
【図１】図１は、従来技術によるＵＥ能力情報通知処理を示すシーケンス図である。
【図２】図２は、メッセージ５によるＣａｔｅｇｏｒｙ０通知処理を示すシーケンス図である。
【図３】図３は、メッセージ５の送信処理を示すシーケンス図である。
【図４】図４は、本発明の一実施例による無線通信システムを示す概略図である。
【図５】図５は、本発明の一実施例によるユーザ装置の構成を示すブロック図である。
【図６】図６は、本発明の一実施例によるＵＥ能力情報通知処理を示すシーケンス図である。
【図７】図７は、本発明の他の実施例によるＵＥ能力情報通知処理を示すシーケンス図である。
【図８】図８は、本発明の一実施例によるＲＲＣ  ｃｏｎｎｅｃｔｉｏｎ  ｓｅｔｕｐ  ｃｏｍｐｌｅｔｅメッセージのデータ構造を示す図である。
【図９】図９は、本発明の一実施例によるユーザ装置におけるＵＥ能力情報通知処理を示すフロー図である。
【発明を実施するための形態】
【００１４】
以下、図面に基づいて本発明の実施の形態を説明する。
【００１５】
基地局と無線通信する低コストタイプのユーザ装置が開示される。ＬＴＥ（Ｌｏｎｇ  Ｔｅｒｍ  Ｅｖｏｌｕｔｉｏｎ）規格及びＬＴＥ−Ａｄｖａｎｃｅｄ規格では、当該タイプのユーザ装置はＬｏｗ  Ｃｏｓｔ  ＭＴＣ端末として規定され、トランスポートブロックサイズ（ＴＢＳ）制約や１０００ビット制約などの送受信ビット数制約を含む情報量制約が適用される。後述される実施例では、ユーザ装置は、基地局に接続するための接続確立手順（ランダムアクセス手順）の接続設定メッセージ（ＲＲＣ  ｃｏｎｎｅｃｔｉｏｎ  ｓｅｔｕｐメッセージ）の受信に応答して、当該ユーザ装置に情報量制約があるか否か基地局に通知する。
【００１６】
一実施例では、ユーザ装置は、接続設定完了メッセージ（ＲＲＣ  ｃｏｎｎｅｃｔｉｏｎ  ｓｅｔｕｐ  ｃｏｍｐｌｅｔｅメッセージ）の返送前に、当該ユーザ装置に情報量制約があるか否かを示すカテゴリ通知信号を基地局に通知してもよい。他の実施例では、ユーザ装置は、当該ユーザ装置に情報量制約がないことを示すため、特定タイプのメッセージ（ＮＡＳメッセージ）を含まない接続設定完了メッセージ（ＲＲＣ  ｃｏｎｎｅｃｔｉｏｎ  ｓｅｔｕｐ  ｃｏｍｐｌｅｔｅメッセージ）を基地局に通知してもよい。また、ユーザ装置は、ユーザ装置に情報量制約があることを示す情報要素（ｌｃｍｕｅ−ｉｎｄｉｃａｔｉｏｎ）を当該特定タイプのメッセージを含まない接続設定完了メッセージに含めてもよい。
【００１７】
これにより、従来の接続確立手順より早い段階で、基地局は、ユーザ装置に情報量制約が適用されるべきか判断することが可能となり、情報量制約のないユーザ装置に対して早期に情報量制約を解除し、情報量制約を適用しない無線リソースのスケジューリングが可能になる。
【００１８】
図４を参照して、本発明の一実施例による無線通信システムを説明する。図４は、本発明の一実施例による無線通信システムを示す概略図である。
【００１９】
図４に示されるように、無線通信システム１０は、ユーザ装置（ＭＴＣ）１００及び基地局２００を有する。無線通信システム１０は、ＬＴＥシステム又はＬＴＥ−Ａｄｖａｎｃｅｄシステムとして実現され、Ｌｏｗ  Ｃｏｓｔ  ＭＴＣ端末のためのトランスポートブロックサイズ制約（１０００ビット制約など）をサポートする。図示された実施例では、１つの基地局２００しか示されていないが、一般には、無線通信システム１０のサービスエリアをカバーするよう多数の基地局２００が配置される。
【００２０】
ユーザ装置１００は、ＬＴＥ規格及びＬＴＥ−Ａｄｖａｎｃｅｄ規格におけるＬｏｗ  Ｃｏｓｔ  ＭＴＣ端末など、基地局２００と無線通信するための無線通信機能を有する低コストタイプのユーザ装置である。典型的には、ユーザ装置１００は、携帯電話やスマートフォンなどと比較して、少量のデータを送受信するスマートメータ、位置情報取得装置などの無線通信機能を備えた何れか適切な情報処理装置であってもよい。ユーザ装置１００は、プロセッサ、メモリ、基地局２００との間で無線信号を送受信するための無線通信装置などから構成される。例えば、後述されるユーザ装置１００の各機能及び処理は、メモリに格納されているデータやプログラムをプロセッサ又は回路が処理又は実行することによって実現されてもよい。このような低コストタイプのユーザ装置では、遅延やスループットの要求条件が厳しくないため、これら要求条件を緩和することによってコスト低減が図られている。特に処理能力やメモリ容量を抑えることによりハードウェアの低コスト化を実現するため、ピークスループットを低下させるための情報量制約（例えば、トランスポートブロックサイズ制約や１０００ビット制約などの送受信ビット数制約）が適用される。
【００２１】
基地局２００は、ユーザ装置１００と無線接続することによって、ユーザ装置１００から受信したアップリンク（ＵＬ）パケットをネットワーク装置に送信すると共に、コアネットワーク（図示せず）上に通信接続された上位局やサーバなどのネットワーク装置から受信したダウンリンク（ＤＬ）パケットをユーザ装置１００に送信する。
【００２２】
次に、図５を参照して、本発明の一実施例によるユーザ装置の構成を説明する。図５は、本発明の一実施例によるユーザ装置の構成を示すブロック図である。
【００２３】
図５に示されるように、ユーザ装置１００は、送受信部１１０、能力管理部１２０及びＲＲＣ処理部１３０を有する。
【００２４】
送受信部１１０は、基地局２００との間で無線信号を送受信する。具体的には、送受信部１１０は、基地局２００との間でアップリンク／ダウンリンク制御チャネルやアップリンク／ダウンリンクデータチャネルなどの各種無線チャネルを送受信する。
【００２５】
能力管理部１２０は、ユーザ装置１００のユーザ装置能力情報（ＵＥ  Ｃａｐａｂｉｌｉｔｙ）を管理する。ユーザ装置能力情報は、ユーザ装置１００がサポートする各種機能及び能力を示す。本実施例のようにユーザ装置１００が低コストタイプのＭＴＣ端末である場合、ユーザ装置能力情報は、ユーザ装置１００が低コストタイプのＭＴＣ端末であることを示す情報を含む。さらに、ユーザ装置能力情報はまた、ユーザ装置１００に情報量制約があることを示す情報を含む。ＬＴＥ規格又はＬＴＥ−Ａｄｖａｎｃｅｄ規格では、低コストタイプのユーザ装置はＬｏｗ  Ｃｏｓｔ  ＭＴＣ端末と規定され、ユーザ装置１００がＣａｔｅｇｏｒｙ０  ＵＥであるという通知を受信すると、基地局２００は、ユーザ装置１００がＬｏｗ  Ｃｏｓｔ  ＭＴＣ端末であると判断し、情報量制約の下でユーザ装置１００に対して無線リソースをスケジューリングする。ＬＴＥ規格又はＬＴＥ−Ａｄｖａｎｃｅｄ規格では、情報量制約は、送受信ビット数の制約に関するものであってもよく、具体的には、トランスポートブロックサイズ（ＴＢＳ）制約や１０００ビット制約として規定される。ユーザ装置１００にＴＢＳ制約がある場合、基地局２００は、ユーザ装置１００に対して当該ＴＢＳ制約に規定される情報サイズ以上のデータの送受信をスケジューリングしない。また、ユーザ装置１００に１０００ビット制約がある場合、基地局２００は、ユーザ装置１００に対して１０００ビット以上のデータの送受信をスケジューリングしない。
【００２６】
一実施例では、ＲＲＣ処理部１３０は、基地局２００に接続するための接続確立手順の接続設定メッセージの受信に応答して、接続設定完了メッセージの返送前に、ユーザ装置能力情報に従ってユーザ装置１００に情報量制約があるか否かを示すカテゴリ通知信号を基地局２００に通知する。具体的には、当該接続確立手順がＬＴＥ規格又はＬＴＥ−Ａｄｖａｎｃｅｄ規格におけるランダムアクセス（ＲＡ）手順である場合、接続設定メッセージはＲＲＣ  ｃｏｎｎｅｃｔｉｏｎ  ｓｅｔｕｐメッセージであり、接続設定完了メッセージはＲＲＣ  ｃｏｎｎｅｃｔｉｏｎ  ｓｅｔｕｐ  ｃｏｍｐｌｅｔｅメッセージであってもよい。また、情報量制約は、送受信ビット数制約（トランスポートブロックサイズ制約や１０００ビット制約など）であってもよい。
【００２７】
この場合、図６に示されるように、ＲＲＣ処理部１３０は、図１と同様にステップＳ１０１〜Ｓ１０４においてＲＡ手順に規定された各種メッセージを送受信した後、ステップＳ１０５において、能力管理部１２０により管理されるユーザ装置能力情報を参照して、ユーザ装置１００に情報量制約があるか否かを示すカテゴリ通知信号として定義されたＵＥ  ｃａｔ  ｃｏｎｔａｉｎｅｒを基地局２００に送信する。具体的には、ユーザ装置１００に情報量制約がある場合、ＲＲＣ処理部１３０は、カテゴリ通知信号としてＣａｔｅｇｏｒｙ０の情報要素を含むＵＥ  ｃａｔ  ｃｏｎｔａｉｎｅｒを基地局２００に送信する。他方、ユーザ装置１００に情報量制約がない場合、ＲＲＣ処理部１３０は、カテゴリ通知信号としてＣａｔｅｇｏｒｙ０以外の情報要素（Ｃａｔｅｇｏｒｙ１〜５の何れかなど）を含むＵＥ  ｃａｔ  ｃｏｎｔａｉｎｅｒを基地局２００に送信してもよい。当該ＵＥ  ｃａｔ  ｃｏｎｔａｉｎｅｒを受信すると、基地局２００は、ユーザ装置１００に情報量制約がある場合、ユーザ装置１００に対して情報量制約の適用を維持し、当該情報量制約下でユーザ装置１００に無線リソースをスケジューリングする。他方、ユーザ装置１００に情報量制約がない場合、基地局２００は、ユーザ装置１００に対して情報量制約を解除し、当該情報量制約を適用することなくユーザ装置１００に無線リソースをスケジューリングする。その後、ステップＳ１０６において、ユーザ装置１００は、メッセージ５としてＲＲＣ  ｃｏｎｎｅｃｔｉｏｎ  ｓｅｔｕｐ  ｃｏｍｐｌｅｔｅメッセージを基地局２００に送信する。すなわち、ＲＲＣ処理部１３０は、ユーザ装置１００に情報量制約があるか否かに応じて基地局２００によりスケジューリングされた無線リソースを使用して、接続設定完了メッセージ（ＲＲＣ  ｃｏｎｎｅｃｔｉｏｎ  ｓｅｔｕｐ  ｃｏｍｐｌｅｔｅメッセージ）の送信以降の接続確立手順の送受信処理を実行する。
【００２８】
このように、本実施例では、情報量制約が適用されないＬｏｗ  Ｃｏｓｔ  ＭＴＣ端末に対して、Ｃａｔｅｇｏｒｙ１などのＣａｔｅｇｏｒｙ０以外のカテゴリを割り当て、当該Ｌｏｗ  Ｃｏｓｔ  ＭＴＣ端末に不要な情報量制約が適用されることを回避する。なお、ＵＥ  ｃａｔ  ｃｏｎｔａｉｎｅｒは、上述したようにＣａｔｅｇｏｒｙ０やＣａｔｅｇｏｒｙ１などのユーザ装置１００のカテゴリを示す情報要素に限定されない。例えば、ＵＥ  ｃａｔ  ｃｏｎｔａｉｎｅｒは、ユーザ装置１００がＣａｔｅｇｏｒｙ０  ＵＥであるか否かを示すビット値など、ユーザ装置１００に情報量制約があるか否かを示す何れか適切な情報要素であってもよい。
【００２９】
他の実施例では、ＲＲＣ処理部１３０は、基地局２００に接続するための接続確立手順の接続設定メッセージの受信に応答して、ユーザ装置能力情報に従ってユーザ装置１００に情報量制約があることを示すため、特定タイプのメッセージを有さない接続設定完了メッセージを基地局２００に通知する。具体的には、当該接続確立手順がＬＴＥ規格又はＬＴＥ−Ａｄｖａｎｃｅｄ規格におけるランダムアクセス（ＲＡ）手順である場合、接続設定メッセージはＲＲＣ  ｃｏｎｎｅｃｔｉｏｎ  ｓｅｔｕｐメッセージであり、接続設定完了メッセージはＲＲＣ  ｃｏｎｎｅｃｔｉｏｎ  ｓｅｔｕｐ  ｃｏｍｐｌｅｔｅメッセージであり、特定タイプのメッセージは、ＮＡＳ（Ｎｏｎ  Ａｃｃｅｓｓ  Ｓｔｒａｔｕｍ）メッセージであってもよい。また、情報量制約は、送受信ビット数制約（トランスポートブロックサイズ制約や１０００ビット制約など）であってもよい。
【００３０】
この場合、図７に示されるように、ＲＲＣ処理部１３０は、図１と同様にステップＳ２０１〜Ｓ２０４においてＲＡ手順に規定された各種メッセージを送受信した後、ステップＳ２０５において、能力管理部１２０により管理されるユーザ装置能力情報を参照して、ユーザ装置１００に情報量制約がある場合、ＮＡＳメッセージを有さないＲＲＣ  ｃｏｎｎｅｃｔｉｏｎ  ｓｅｔｕｐ  ｃｏｍｐｌｅｔｅメッセージを基地局２００に送信する。ＮＡＳメッセージを含まないＲＲＣ  ｃｏｎｎｅｃｔｉｏｎ  ｓｅｔｕｐ  ｃｏｍｐｌｅｔｅメッセージを受信すると、基地局２００は、ユーザ装置１００に情報量制約があると判断し、ユーザ装置１００に対して情報量制約の適用を維持し、当該情報量制約下でユーザ装置１００に無線リソースをスケジューリングする。他方、ＮＡＳメッセージを含むＲＲＣ  ｃｏｎｎｅｃｔｉｏｎ  ｓｅｔｕｐ  ｃｏｍｐｌｅｔｅメッセージを受信すると、基地局２００は、ユーザ装置１００に情報量制約がないと判断し、ユーザ装置１００に対して情報量制約を解除し、当該情報量制約を適用することなくユーザ装置１００に無線リソースをスケジューリングする。このようにして、ＲＲＣ処理部１３０は、ユーザ装置１００に情報量制約があるか否かに応じて基地局２００によりスケジューリングされた無線リソースを使用して、接続設定完了メッセージ（ＲＲＣ  ｃｏｎｎｅｃｔｉｏｎ  ｓｅｔｕｐ  ｃｏｍｐｌｅｔｅメッセージ）の送信以降の接続確立手順の送受信処理を実行する。その後、ステップＳ２０５においてＮＡＳメッセージが送信されなかった場合、ユーザ装置１００は、ステップＳ２０６において、ＮＡＳメッセージを基地局２００に送信する。
【００３１】
一実施例では、ＲＲＣ処理部１３０は更に、接続設定完了メッセージにユーザ装置１００に情報量制約があることを示す情報要素を含めてもよい。例えば、ＲＲＣ処理部１３０は、図８に示されるように、ユーザ装置１００に情報量制約があることを示す情報要素としてｌｃｍｕｅ−ｉｎｄｉｃａｔｉｏｎをＲＲＣ  ｃｏｎｎｅｃｔｉｏｎ  ｓｅｔｕｐ  ｃｏｍｐｌｅｔｅメッセージに含めてもよい。ＮＡＳメッセージを含まないＲＲＣ  ｃｏｎｎｅｃｔｉｏｎ  ｓｅｔｕｐ  ｃｏｍｐｌｅｔｅメッセージにおいてｌｃｍｕｅ−ｉｎｄｉｃａｔｉｏｎ情報要素を検出すると、基地局２００は、ユーザ装置１００に情報量制約があると判断し、ユーザ装置１００に対して情報量制約の適用を維持し、当該情報量制約下でユーザ装置１００に無線リソースをスケジューリングする。ユーザ装置１００に情報量制約があることを明示的に示す当該情報要素を含めることによって、基地局２００は、ＮＡＳメッセージの有無だけでなく当該情報要素の検出に基づき、ユーザ装置１００に情報量制約があるか判断することが可能になる。
【００３２】
なお、上述した実施例では、特定タイプのメッセージとしてＮＡＳメッセージが適用されたが、本発明はこれに限定されものでなく、ＬＴＥ規格又はＬＴＥ−Ａｄｖａｎｃｅｄ規格によるＲＲＣ  ｃｏｎｎｅｃｔｉｏｎ  ｓｅｔｕｐ  ｃｏｍｐｌｅｔｅメッセージに含まれる可能性のある他の何れか適切なタイプのメッセージを含むものであってもよい。
【００３３】
次に、図９を参照して、本発明の一実施例によるユーザ装置における能力情報通知処理を説明する。図９は、本発明の一実施例によるユーザ装置におけるＵＥ能力情報通知処理を示すフロー図である。本実施例では、ユーザ装置１００は、ＬＴＥ規格又はＬＴＥ−Ａｄｖａｎｃｅｄ規格におけるＬｏｗ  Ｃｏｓｔ  ＭＴＣ端末である。
【００３４】
図９に示されるように、ステップＳ３０１において、送受信部１１０は、基地局２００にイニシャルアクセスする。当該最初のアクセス時、ＲＲＣ処理部１３０は、基地局２００とＲＲＣ接続を確立するための各種メッセージを基地局２００との間でやりとりする。
【００３５】
ステップＳ３０２において、ＲＲＣ処理部１３０は、ＲＲＣ  ｃｏｎｎｅｃｔｉｏｎ  ｓｅｔｕｐメッセージを受信する。
【００３６】
ステップＳ３０３において、ＲＲＣ処理部１３０は、格納されているユーザ装置能力情報を参照して、ユーザ装置１００が情報量制約の適用されるＬｏｗ  Ｃｏｓｔ  ＭＴＣ端末であることを示すＣａｔｅｇｏｒｙ０  ＵＥであるか判断する。ユーザ装置１００がＣａｔｅｇｏｒｙ０  ＵＥである場合（Ｓ３０３：Ｙ）、ＲＲＣ処理部１３０は、ユーザ装置１００がＣａｔｅｇｏｒｙ０  ＵＥであることを基地局２００に通知する。
【００３７】
一実施例では、ＲＲＣ処理部１３０は、ＲＲＣ  ｃｏｎｎｅｃｔｉｏｎ  ｓｅｔｕｐ  ｃｏｍｐｌｅｔｅメッセージの返送前に、ユーザ装置能力情報に従って当該ユーザ装置１００に情報量制約があるか否かを示すカテゴリ通知信号を基地局２００に通知してもよい。具体的には、ＲＲＣ処理部１３０は、ユーザ装置１００に情報量制約があるか否かを示すカテゴリ通知信号として定義されたＵＥ  ｃａｔ  ｃｏｎｔａｉｎｅｒを基地局２００に送信してもよい。ユーザ装置１００に情報量制約がある場合、ＲＲＣ処理部１３０は、カテゴリ通知信号としてＣａｔｅｇｏｒｙ０の情報要素を含むＵＥ  ｃａｔ  ｃｏｎｔａｉｎｅｒを基地局２００に送信し、他方、ユーザ装置１００に情報量制約がない場合、カテゴリ通知信号としてＣａｔｅｇｏｒｙ０以外の情報要素（Ｃａｔｅｇｏｒｙ１〜５の何れかなど）を含むＵＥ  ｃａｔ  ｃｏｎｔａｉｎｅｒを基地局２００に送信してもよい。
【００３８】
他の実施例では、ＲＲＣ処理部１３０は、ユーザ装置能力情報に従って当該ユーザ装置１００に情報量制約があることを示すため、ＮＡＳメッセージを有さないＲＲＣ  ｃｏｎｎｅｃｔｉｏｎ  ｓｅｔｕｐ  ｃｏｍｐｌｅｔｅメッセージを基地局２００に通知してもよい。さらに、ＲＲＣ処理部１３０は、当該ＮＡＳメッセージを有さないＲＲＣ  ｃｏｎｎｅｃｔｉｏｎ  ｓｅｔｕｐ  ｃｏｍｐｌｅｔｅメッセージにユーザ装置１００に情報量制約があることを示す情報要素としてｌｃｍｕｅ−ｉｎｄｉｃａｔｉｏｎを含めてもよい。
【００３９】
上述したメッセージの何れかによって、ユーザ装置１００に情報量制約があることを通知されると、基地局２００は、当該ユーザ装置１００に対して情報量制約の適用を維持し、当該情報量制約下でユーザ装置１００に無線リソースをスケジューリングする。他方、ユーザ装置１００に情報量制約がないことを通知されると、基地局２００は、ユーザ装置１００に対して情報量制約を解除し、当該情報量制約を適用することなくユーザ装置１００に無線リソースをスケジューリングする。
【００４０】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４１】
１０  無線通信システム
１００  ユーザ装置
１１０  送受信部
１２０  能力管理部
１３０  ＲＲＣ処理部
２００  基地局
【図１】
2016012876.tif 000003
【図２】
2016012876.tif 000004
【図３】
2016012876.tif 000005
【図４】
2016012876.tif 000006
【図５】
2016012876.tif 000007
【図６】
2016012876.tif 000008
【図７】
2016012876.tif 000009
【図８】
2016012876.tif 000010
【図９】
2016012876.tif 000011